(57)【要約】【課題】主に各種電子機器の遠隔操作に用いられるリモコン装置に関し、リモコン送信機の保持が確実で、着脱も容易なものを提供することを目的とする。【解決手段】ホルダー７の内側壁に、前面及び下面に傾斜部８Ａと８Ｂが形成され、リモコン送信機１側面の窪部２Ａと係合する係止突起８を設けることによって、ホルダー７の内側壁全体が撓んでリモコン送信機１の着脱が行われるため、係止突起８の磨耗や弾性復帰力の低下が少なく、リモコン送信機１を確実に保持することができると共に、係止突起８の前面及び下面の傾斜部８Ａと８Ｂによって、リモコン送信機の着脱も容易に行えるリモコン装置を得ることができる。【選択図】図１
2006352730.tif 000002
【特許請求の範囲】
【請求項１】
側面に窪部が形成されたリモコン送信機と、前面及び上面開口の略箱状のホルダーからなり、上記ホルダーの内側壁に、前面及び下面に傾斜部が形成され、上記リモコン送信機の窪部と係合する係止突起を設けたリモコン装置。
【請求項２】
ホルダー内底面に、リモコン送信機を前方へ付勢する弾性爪を設けた請求項１記載のリモコン装置。
【発明の詳細な説明】
【技術分野】
【０００１】
本発明は、主に各種電子機器の遠隔操作に用いられるリモコン装置に関するものである。
【背景技術】
【０００２】
近年、テレビやエアコン、カーオーディオ等の各種電子機器の操作を、家屋や自動車の室内の壁や柱等の側壁に装着された、様々なリモコン装置を用いて遠隔操作することが増えており、これらのリモコン装置において、リモコン送信機の保持が確実で、かつ取出し易いものが求められている。
【０００３】
このような従来のリモコン装置について、図４を用いて説明する。
【０００４】
図４は従来のリモコン装置の分解斜視図であり、同図において、１はリモコン送信機で、略箱形で絶縁樹脂製のケース２の前面には、複数の押釦３が突出すると共に、両側面には角孔状の窪部２Ａが形成されている。
【０００５】
また、ケース２内には、押釦３の押圧操作によって電気的接離を行う複数のスイッチ接点（図示せず）や、マイコンや発光ダイオード等の電子部品によって制御回路（図示せず）等が形成され、押釦３の操作に応じて、上面の送信部４からリモコン信号が送信されるようにして、リモコン送信機１が構成されている。
【０００６】
さらに、５は略箱状で絶縁樹脂製のホルダーで、前面及び上面が開口され、左右の内側壁には上下に切欠が形成された、突片状の係止爪５Ａが設けられると共に、下面の側壁にはフック部５Ｂが突出形成されている。
【０００７】
そして、このホルダー５が家屋や自動車の室内の壁や柱等にネジ等によって固着されると共に、ホルダー５の係止爪５Ａに窪部２Ａが係合され、リモコン送信機１がホルダー５に着脱可能に装着されて、リモコン装置が構成される。
【０００８】
なお、ホルダー５にリモコン送信機１を装着する際には、先ずリモコン送信機１を斜めにした状態で、ケース２下面の凹部（図示せず）をフック部５Ｂに挿入した後、この下面を支点としてリモコン送信機１上方側面をホルダー５内に挿入すると、突片状の係止爪５Ａが弾性変形して外方へ開き、その後、係止爪５Ａが弾性復帰力によって窪部２Ａに係合して、ホルダー５にリモコン送信機１が保持される。
【０００９】
また、リモコン送信機１をホルダー５から取外す場合には、上記とは逆に、リモコン送信機１上方を前方に引くと、係止爪５Ａが弾性変形して外方へ開き、係止爪５Ａが窪部２Ａから外れて、リモコン送信機１の取外しが行われるように構成されている。
【００１０】
以上の構成において、リモコン送信機１の所定の押釦３を押圧操作すると、ケース２内のスイッチ接点の電気的接離が行われ、これに対応した赤外線のリモコン信号が送信部４から機器へ送信されて、テレビやエアコン、カーオーディオ等等の、例えば電源の入／切や、音量や温度の増減等が遠隔操作によって行われるように構成されているものであった。
【００１１】
なお、この出願の発明に関連する先行技術文献情報としては、例えば、特許文献１が知られている。
【特許文献１】特開２００１−４１４９１号公報
【発明の開示】
【発明が解決しようとする課題】
【００１２】
しかしながら、上記従来のリモコン装置においては、ホルダー５へのリモコン送信機１の着脱を、突片状の係止爪５Ａの弾性変形によって行っているため、着脱を繰返すと係止爪５Ａが磨耗し、また、弾性復帰力も低下して、リモコン送信機１を保持する力が弱まり、特に自動車の室内等のように、衝撃や振動が加わり易い状態で使用された場合、リモコン送信機１がホルダー５から脱落し易くなるという課題があった。
【００１３】
本発明は、このような従来の課題を解決するものであり、リモコン送信機の保持が確実で、着脱も容易なリモコン装置を提供することを目的とする。
【課題を解決するための手段】
【００１４】
上記目的を達成するために本発明は、以下の構成を有するものである。
【００１５】
本発明の請求項１に記載の発明は、ホルダーの内側壁に、前面及び下面に傾斜部が形成され、リモコン送信機側面の窪部と係合する係止突起を設けてリモコン装置を構成したものであり、ホルダーの内側壁全体が撓んでリモコン送信機の着脱が行われるため、係止突起の磨耗や弾性復帰力の低下が少なく、リモコン送信機を確実に保持することができると共に、係止突起の前面及び下面の傾斜部によって、リモコン送信機の着脱も容易に行えるリモコン装置を得ることができるという作用を有する。
【００１６】
請求項２に記載の発明は、請求項１記載の発明において、ホルダー内底面に、リモコン送信機を前方へ付勢する弾性爪を設けたものであり、弾性爪によってリモコン送信機の窪部がホルダーの係止突起に弾接するため、がたつきがなく、リモコン送信機の保持をさらに確実に行うことができるという作用を有する。
【発明の効果】
【００１７】
以上のように本発明によれば、リモコン送信機の保持が確実で、着脱も容易なリモコン装置を実現することができるという有利な効果が得られる。
【発明を実施するための最良の形態】
【００１８】
以下、本発明の実施の形態について、図１〜図３を用いて説明する。
【００１９】
なお、背景技術の項で説明した構成と同一構成の部分には同一符号を付して、詳細な説明を簡略化する。
【００２０】
（実施の形態）
図１は本発明の一実施の形態によるリモコン装置の分解斜視図であり、同図において、１はリモコン送信機で、略箱形でポリスチレンやＡＢＳ等の絶縁樹脂製のケース２前面には、複数の絶縁樹脂製の押釦３が突出すると共に、両側面には角孔状の窪部２Ａが形成されている。
【００２１】
また、ケース２内には、押釦３の押圧操作によって電気的接離を行う複数のスイッチ接点（図示せず）や、マイコンや発光ダイオード等の電子部品によって制御回路（図示せず）等が形成され、押釦３の操作に応じて、上面の送信部４からリモコン信号が送信されるようにして、リモコン送信機１が構成されている。
【００２２】
そして、７は略箱状で絶縁樹脂製のホルダーで、前面及び上面が開口されると共に、左右の内側壁には、前面に傾斜部８Ａ、下面に傾斜部８Ｂが形成された係止突起８が設けられている。
【００２３】
さらに、ホルダー７の内底面には、上及び左右に切欠が形成された突片状の弾性爪７Ａが設けられると共に、下面の側壁にはフック部７Ｂが突出形成されている。
【００２４】
そして、このホルダー７が家屋や自動車の室内の壁や柱等にネジ等によって固着されると共に、ホルダー７の係止突起８に窪部２Ａが係合され、リモコン送信機１がホルダー７に着脱可能に装着されて、リモコン装置が構成される。
【００２５】
なお、ホルダー７にリモコン送信機１を装着する際には、先ずリモコン送信機１を斜めにした状態で、ケース２下面の凹部（図示せず）をフック部７Ｂに挿入した後、図２（ａ）の断面図に示すように、下面を支点としてリモコン送信機１上方側面をホルダー７内に挿入する。
【００２６】
そして、図２（ｂ）に示すように、リモコン送信機１がホルダー７内に挿入されると、リモコン送信機１の角が係止突起８前面の傾斜部８Ａに当接し、ホルダー７上下の内側壁が撓んで、内側壁全体が弾性変形し外方へ開く。
【００２７】
この後、図２（ｃ）に示すように、リモコン送信機１を最後まで押込むと、上下の内側壁全体が弾性復帰し、係止突起８後面の垂直面が窪部２Ａの右側面に係合して、ホルダー７へのリモコン送信機１の保持が行われる。
【００２８】
つまり、リモコン送信機１の装着時には、リモコン送信機１が係止突起８前面の傾斜部８Ａに当接し、これを押圧することによって、ホルダー７上下の内側壁全体が撓んで滑らかに装着が行われると共に、装着後は、係止突起８後面の垂直面が窪部２Ａの右側面に係合して、リモコン送信機１を確実に保持し、衝撃や振動が加わった場合でも、ホルダー７からの脱落が生じにくいように構成されている。
【００２９】
さらに、ホルダー７内底面には弾性爪７Ａが設けられているため、図２（ｃ）に示すように、リモコン送信機１をホルダー７に装着した後は、この弾性爪７Ａが撓んでリモコン送信機１を前方へ付勢し、窪部２Ａの右側面が係止突起８後面の垂直面に弾接するため、がたつきがなく、確実にリモコン送信機１の保持を行うことができる構成となっている。
【００３０】
また、リモコン送信機１をホルダー７から取外す場合には、図３（ａ）の断面図に示すように、リモコン送信機１を上方に引上げると、窪部２Ａの下側面が係止突起８下面の傾斜部８Ｂに当接し、図３（ｂ）に示すように、ホルダー７左右の内側壁が撓み、内側壁全体が弾性変形して外方へ開き、係止突起８が窪部２Ａから外れて、リモコン送信機１の取外しが行われる。
【００３１】
つまり、リモコン送信機１の取外し時には、リモコン送信機１が係止突起８下面の傾斜部８Ｂに当接し、これを押圧することによって、ホルダー７左右の内側壁全体が撓んで、滑らかに取外しが行われるように構成されている。
【００３２】
以上の構成において、リモコン送信機１の所定の押釦３を押圧操作すると、ケース２内のスイッチ接点の電気的接離が行われ、これに対応した赤外線のリモコン信号が送信部４から機器へ送信されて、テレビやエアコン、カーオーディオ等等の、例えば電源の入／切や、音量や温度の増減等が遠隔操作によって行われる。
【００３３】
このように本実施の形態によれば、ホルダー７の内側壁に、前面及び下面に傾斜部８Ａと８Ｂが形成され、リモコン送信機１側面の窪部２Ａと係合する係止突起８を設けることによって、ホルダー７の内側壁全体が撓んでリモコン送信機１の着脱が行われるため、係止突起８の磨耗や弾性復帰力の低下が少なく、リモコン送信機１を確実に保持することができると共に、係止突起８の前面及び下面の傾斜部８Ａと８Ｂによって、リモコン送信機の着脱も容易に行えるリモコン装置を得ることができるものである。
【００３４】
また、ホルダー７内底面に、リモコン送信機１を前方へ付勢する弾性爪７Ａを設けることによって、弾性爪７Ａによってリモコン送信機１の窪部２Ａがホルダー７の係止突起８に弾接するため、がたつきがなく、リモコン送信機の保持をさらに確実に行うことができる。
【産業上の利用可能性】
【００３５】
本発明によるリモコン装置は、リモコン送信機の保持が確実で、着脱も容易なものが得られ、主に各種電子機器の遠隔操作用として有用である。
【図面の簡単な説明】
【００３６】
【図１】本発明の一実施の形態によるリモコン装置の分解斜視図
【図２】同断面図
【図３】同断面図
【図４】従来のリモコン送信機の分解斜視図
【符号の説明】
【００３７】
１  リモコン送信機
２  ケース
２Ａ  窪部
３  押釦
４  送信部
７  ホルダー
７Ａ  弾性爪
７Ｂ  フック部
８  係止突起
８Ａ、８Ｂ  傾斜部
【図１】
2006352730.tif 000003
【図２】
2006352730.tif 000004
【図３】
2006352730.tif 000005
【図４】
2006352730.tif 000006